【事件の表示】
　特願２０００−２３５８０６「情報処理装置、メニュー表示方法及びメニュー処理プログラムを格納したコンピュータ可読の記憶媒体」拒絶査定不服審判事件〔平成１４年　２月１５日出願公開、特開２００２−　４９４５１〕について、次のとおり審決する。
【結　論】
　本件審判の請求は、成り立たない。
【理　由】
１．手続きの経緯
　本願は、平成１２年８月３日の出願であって、平成１８年３月１７日付けで拒絶査定がなされたところ、これに対して同年４月２７日に拒絶査定に対する審判請求がなされるとともに、同年５月２９日に手続補正書が提出されたものである。
　
２．補正却下の決定
平成１８年５月２９日に提出された手続補正書による補正の却下の決定
　
（１）［補正却下の決定の結論］
　平成１８年５月２９日に提出された手続補正書による補正（以下、「本件補正」という。）を却下する。
　
（２）［補正却下の決定の理由］
（ａ）補正の内容
　本件補正によると、その特許請求の範囲の請求項１は、
「アプリケーションのコマンドとして、当該アプリケーションで予め定められたショートカットキーのキーコードより構成され、前記アプリケーションに対応した固有のメニュー情報を格納するメニュー格納部と、
　指示部による指示が検出された場合に、現在起動しているアプリケーションを判別して、前記メニュー情報を用いてアプリケーションに対応するメニューを画面上に展開するメニュー展開部と、を備えることを特徴とする情報処理装置。」
と補正されている。　
　
　上記補正は、補正前の請求項１に記載した発明を特定するために必要な事項である「アプリケーションのコマンドとなるキーコードより構成され、前記アプリケーションに対応した固有のメニュー情報」に対し、「アプリケーションのコマンドとして、当該アプリケーションで予め定められたショートカットキーのキーコードより構成され、前記アプリケーションに対応した固有のメニュー情報」と限定するものであり、本件補正は、特許法第１７条の２第４項第２号に規定する特許請求の範囲の減縮を目的とするものに該当する。
　そこで、本件補正後の前記請求項１に記載された発明（以下、「本願補正発明」という。）が、特許出願の際独立して特許を受けることができるものであるか（特許法第１７条の２第５項において準用する同法第１２６条第５項の規定に適合するか）否かについて以下検討する。
　
（ｂ）引用例
　原査定の拒絶の理由に引用された欧州特許出願公開第１００６４７７号明細書（以下、「引用例」という。）には、図とともに、以下のような記載がある。
　
（イ）「[0006] It should be noted here that complicated operations must be repeated by the user to select a desired application program on a taskbar having the abovementioned start menu and to start the selected application program.
[0007] Namely, the user first points with the mouse cursor the start menu button on the taskbar and clicks the left button on the mouse for displaying the start menu. Then, the user points the Program menu item thereof to display the program menu. Next, the user points a desired application program shown on the program menu and clicks the left button on the mouse. In the case of an application program group, the user must repeat the pointing and clicking operation until the desired program is reached. When the user specifies by clicking a desired application program, the CPU starts it.
[0008] Thus, to start a desired application program, the user must repeat cumbersome operations, thereby deteriorating the convenience of the user interface. This holds true with a situation in which the user clicks a menu item such as Help for example from the start menu program to execute desired processing.
[0009] It is therefore an aim of at least an embodiment of the present invention to provide an information processingapparatus, an information processing method, and an information providing medium that allow users to execute desired processing by a simple operation, such as by using a rotary-type dial.」（段落[0006]〜 [0009]）
　訳（［０００６］上記スタートメニューボタンを備えたタスクバー上でユーザが所望のアプリケーションプログラムを選択し、起動するまでには煩雑な操作を繰り返すことになる。
［０００７］すなわち、先ずタスクバー上のスタートメニューボタンをマウスのカーソルでポイントし、左マウスボタンをクリックし、スタートメニューを表示させる。次に、スタートメニューから「プログラム」メニューアイテムをマウスのカーソルでポイントし、左マウスボタンをクリックし、プログラムメニューを表示させる。そして、プログラムメニュー上の所望のアプリケーションプログラムの表示をマウスのカーソルでポイントし、左マウスボタンをクリックする。アプリケーションプログラムグループであったときにはさらにポイントとクリックを行う必要がある。そして、ＣＰＵが所望のアプリケーションプログラムを起動する。
［０００８］このようにユーザが所望したアプリケーションプログラムを起動するまでには、ユーザに煩雑な操作を繰り返させることになり、ユーザインターフェースとしては使い難かった。また、スタートメニュープログラムから「ヘルプ」等のメニューアイテムをクリックし、所望の処理を行う場合にも同様である。
［０００９］本発明は、上記実情に鑑みてなされたものであり、例えばジョグダイヤルを用いた簡単な操作により所望の処理を実行させることができる情報処理装置及び方法、並びに媒体の提供を目的とする。）
　
（ロ）「[0066] When the power switch 8 has been turned on, the CPU 51 executes the jog dial state monitor program 54C in a sequence shown in FIG. 16.
[0067] To be more specific, in step S31, the jog dial state monitor program 54C always monitors whether the jog dial 4 has been operated or not. This program also monitors whether the electronic mail program 54A and other application programs 54F1 through 54Fn have been activated or not. The jog dial state monitored here is used to monitor by the CPU 51 the processing of the jog dial state monitor program 70E through the jog dial driver 54D. This is substantially the same as the operation described above with reference to FIG. 13.
[0068] In step S32, when the information indicative. that the jog dial 4 has been operated comes from the jog dial driver 54D, then, in step S33, the CPU 51 checks for any active application program. If no active application program is found, the CPU 51 starts a launching operation. If an active application program is found, the CPU 51 starts an event operation. The launching operation herein denotes the selection of an application program registered and added to a launching list in advance.
[0069] In detail, the launching operation functions on condition that there is not currently active application program. The jog dial menu displays the application programs previously registered and added to the launching list. The launching list contains jog-dial-capable application programs.
[0070] When a launching operation has been executed, a jog dial menu indicative of a launched state is displayed on the LCD 7. The jog dial menu displays the list of jog-dial-capable application programs which are launched according to the rotation and pressing of the jog dial 4.
[0071] For example, as shown in FIG. 12, when the predetermined OS 54E is in the activated state by the CPU 51, assume that there is no activated application program and the User has pressed the jog dial 4 once in the direction of arrow b shown in FIG. 3. Then, as described with reference to FIGS. 13 through 15, the jog driver 54D receives the pushed state of the jog dial 4 with the flag status from the I/O register by means of the interrupt operation of step S7 of FIG. 13. The jog dial driver 54D sends the information about the pressing of the jog dial 4 to the jog dial monitor program 54C to be executed by the CPU51.」（段落[0066]〜 [0071]）
訳（［００６６］電源スイッチ８がオンされた後には、ＣＰＵ５１がジョグダイヤル状態監視プログラム５４Ｃを図１６に示す手順で実行する。
［００６７］すなわち、ステップＳ３１では常時、ジョグダイヤル４が操作されたかどうかを監視する。また、電子メールプログラム５４Ａや、その他のアプリケーション５４Ｆ1〜５４Ｆnがアクティベートされたかを監視する。ここでのジョグダイヤルの状態監視は、上記ジョグダイヤル状態監視プログラム７０Ｅからの処理をＣＰＵ５１側でジョグダイヤルドライバ５４Ｄ経由で監視するためのものであり、実質的には上記図１３を用いて説明した動作と同様である。
［００６８］ステップＳ３２でジョグダイヤルドライバ５４Ｄからジョグダイヤル４の操作通知がくると、ステップＳ３３に進む。ステップＳ３３では、アクティブなアプリケーションがないか有るかを判断し、無い場合はランチャー動作に、アクティブなアプリケーションがある場合はイベント動作に進む。ここでランチャー動作とは登録されたアプリケーションを選択させる動作をいう。
［００６９］ランチャー動作について詳細に説明する。このランチャー動作は、上述したように現在アクティベートなアプリケーションが無いことが条件となって機能する。ジョグダイヤルメニューには、予めランチャーリストに登録されているアプリケーションが表示される。ランチャーリストには、ジョグダイヤルに対応したアプリケーションが登録される。
［００７０］ランチャー動作が実行されると、ランチャー状態を示すジョグダイヤルメニューをＬＣＤ７上に表示する。ジョグダイヤルメニューにはジョグダイヤルの上下、押下に応じてラウンチする、ジョグダイヤルに対応したアプリケーションのリストを表示し、起動する。
［００７１］例えば、所定のＯＳ５４ＥがＣＰＵ５１で起動している状態において、アクティベートされたアプリケーションが無く、ユーザがジョグダイヤル４を図３の矢印ｂ方向に一度だけ押下したとする。すると、図１３〜図１５で説明したように、ジョグダイヤル４のプッシュ状態を、上記図１３のステップＳ７でインタラプト（割り込み）による、Ｉ／Ｏレジスタ経由からのフラグ状態送付でジョグドライバ５４Ｄが受け取る。これにより、ジョグダイヤルドライバ５４Ｄは同じくＣＰＵ５１で実行されるジョグダイヤル監視プログラム５４Ｃに操作通知を送る。）
　
（ハ）「[0078] The following describes the case in which, when the power switch 8 is turned on, the CPU 51 executes the jog ,dial state monitor program 54C and an active application program is found in step S33 shown in FIG. 16. This is the above-mentioned event operation started by the CPU 51. The active application program must be jog-dial-capable. To be more specific, this sort of program is a predetermined application program having image display capability. In this example, it is assumed that a map of Japan shown in FIG. 22 is displayed on the LCD 7. When the user rotates the jog dial 4 with the map displayed on the LCD 7, the image is enlarged around the location indicated by the pointer as shown in FIG. 23.
[0079] When the user rotates the jog dial 4 in the reverse direction against the above-mentioned direction, the image shrinks (returns to the original size). Thus, in any predetermined application program having the jog-dial-capable image display capability, the displayed image can be zoomed in (shrunk) or out (enlarged) by the rotation of the jog dial 4.」（段落[0078]、 [0079]）
訳（［００７８］次に、電源スイッチ８がオンされた後に、ＣＰＵ５１がジョグダイヤル監視状態プログラム５４Ｃを実行し、図１６のステップＳ３３でアクティブなアプリケーションがあった場合について説明する。上述したイベント動作である。アプリケーションとしては、ジョグダイヤル対応であることが条件であり、具体的には、画像表示機能を有する所定のアプリケーションプログラムとする。この例の場合、アプリケーションプログラムにより、図２２に示す日本地図がＬＣＤ７に表示されているものとする。このとき、ユーザによりジョグダイヤル４に対して回転操作が行われると、図２３に示すようにポインタが示す地点を中心に、画像が拡大される。
［００７９］また、ジョグダイヤル４が、画像が拡大されたときの回転方向と逆方向に回転操作されると、画像は縮小される（元に戻る）。このように、このジョグダイヤル対応とされた画像表示機能を有する所定のアプリケーションプログラムではＬＣＤ７に表示されている画像をジョグダイヤル４の回転操作に対応して縮小または拡大できる。）
　
（ニ）「[0085] Then, although not described in the abovementioned example, the jog dial menu may be displayed in a manner inherent in the application program to be supplied to the user as the form of a jog dial guide.
[0086] To be more specific, in step S63, the jog-dial-capable application program notifies the jog dial state monitor program 54C of the description of the jog dial operation in the current stale by means of a character string. In step S64, a jog dial window 90 shown in FIG.26 is displayed, in which characters such as Jog dial guide, Zoom, In, Fit and Out are displayed.
[0087] In step S65, the jog-dial-capable application program changes character strings according to the state of the activated window to update the list of a jog dial state monitor program 54C.
[0088] Thus, when the jog-dial-capable application program is active, the display in the jog dial window 90 denotes the description in character string how this application program will be operated according to the jog dial operation.
[0089] The following describes some embodiments of the jog-dial-capable application program.
・・・中略・・・
 [0094] The following outlines other embodied jog-dial-capable application programs (fourth through tenth embodiments) and their operations. The fourth embodiment is SmartWrite (trademark), a simplified wordprocessor program. With SmartWrite, rotating the jog dial 4 allows the user to scroll a document up and down on the display and pushing the jog dial 4 allows the user to jump up to the top of the document. These capabilities are displayed in the jog dial window.
[0095] The fifth embodiment is SmartScript (trademark)editor, which is an application automatic execution tool by means of script. With SmartScript, rotating the jog dial 4 allows the user to advance execution of procedures and pushing the jog dial 4 at reproduction or recording allows the user to temporarily stop the execution. These capabilities are displayed in the jog dial window.
[0096] The sixth embodiment is DV Gate Motion (trademark), which is a digital video reproduction and edit tool. With DV Gate Motion, rotating the jog dial 4 allows the user to get back a frame feed operation in temporarily stopped state and pushing the jog dial 4 allows the user to perform a marking operation. These capabilities are displayed in the jog dial window.
[0097] The seventh embodiment is Smart Capture (trademark), which is a shooting tool of still picture and motion picture for a digital video camera. With Smart Capture, the capabilities to be executed by rotation and pushing of the jog dial 4 are different in each of a finder screen, a still viewer, and a movie player. This is because character strings can be changed and displayed according to the state of the window activated by executing the processing of step S65 shown in FIG. 25. On the finder screen, rotating the jog dial 4 allows the user to set effect levels. For example, this level setting includes attachment of white noise. On the still viewer, rotating the jog dial 4 allows the user to select a still picture to be displayed and pushing the jog dial 4 allows the user to start an electronic mail program (or a mailer). The mailer is effective when a still picture is used as an attached file. On the movie player, rotating the jog dial 4 allows the user to select a motion picture frame to be displayed and pushing the jog dial 4 allows the user to start the same mailer as mentioned above.
[0098] The eighth embodiment is MediaBar (trademark), which is a tool for music-associated reproduction. With MediaBar, rotating the jog dial 4 allows the user to select the reproduction of a next or previous piece of music and pushing the jog dial 4 allows the user to temporarily stop the reproduction. 
[0099] The ninth embodiment is a jog dial browser, which is a tool for browsing folders using a jog dial. Rotating the jog dial 4 allows the user to scroll a list up and down and pushing the jog dial 4 allows the user, if a folder has been selected, to display a file list belonging to thereunder and, if data or a program has been selected, to execute the same. If cancel has been selected, the execution is ended. If return has been selected, the file list for a file one level up is displayed.」（段落[0085]〜 [0099]）
訳（［００８５］その後、上記例では特に説明を省略したが、ジョグダイヤルメニューの表示をアプリケーション固有の表示にしてジョグダイヤルガイドという形でユーザに知らせるようにしてもよい。
［００８６］すなわち、ステップＳ６３でジョグダイヤル対応のアプリケーションはジョグダイヤル状態監視プログラム５４Ｃに今の状態におけるジョグダイヤル操作の説明を文字列で通知する。すると、ステップＳ６４で図２６に示すようなジョグダイヤルウィンドウ９０を表示し、例えばジョグダイヤルガイド、ズーム、イン、フィット、アウトのような文字列を表示する。
［００８７］ジョグダイヤル対応のアプリケーションは、ステップＳ６５に示すように、アクティベートしたウィンドウの状態に応じて文字列を変更してジョグダイヤル監視プログラム５４Ｃのリストを書き換える。
［００８８］このため、ジョグダイヤル対応アプリケーションがアクティブであるときには、ジョグダイヤルウィンドウ９０の表示はアプリケーションがジョグダイヤルの操作でどのような動作を行うかの説明を文字列で示す。
［００８９］ジョグダイヤル対応アプリケーションソフトの具体例を以下に挙げる。
・・・中略・・・
［００９４］その他のジョグダイヤル対応アプリケーションの具体例（第４〜第１０具体例）とその動作について以下に簡単に説明する。第４の具体例としは、簡易ワードプロセッサである、スマート・ライト（SmartWrite）（商標）がある。このスマート・ライトにおいては、ジョグダイヤル４をスクロール（回転）することによりスクロールアップ／ダウンしたり、プッシュすることにより文書頭にジャンプしたりすることジョグダイヤルウィンドウに表示する。
［００９５］第５の具体例としては、スクリプトによる、アプリケーション自動実行ツールである、スマートスクリプト（SmartScripu）エディタ（商標）がある。このスマートスクリプトエディタにおいては、ジョグダイヤル４をスクロールすることによりステップ実行を進め、再生時記録時にプッシュすると一時停止することをジョグダイヤルウィンドウに表示する。
［００９６］第６の具体例としては、デジタルビデオ再生・編集ツールである、ＤＶゲート・モーション（gate motion）（商標）がある。このＤＶゲート・モーションにおいては、ジョグダイヤル４をスクロールすることにより一時停止中のコマ送り、コマ戻しをし、プッシュすることによりマークを行うことをジョグダイヤルウィンドウに表示する。
［００９７］第７の具体例としては、デジタルビデオ・カメラの静止画・動画取り込みツールである、スマート・キャプチャー（Smart Capture）（商標）がある。このスマート・キャプチャーにおいては、ファインダー画面上、スチルビューワー上、ムービープレーヤー上でスクロール、プッシュ時の機能を異ならせる。上記図２５に示したステップＳ６５での処理を通してアクティブベートしたウィンドウの状態に応じて文字列を変更・表示できるためである。ファインダー画面上では、スクロールにより各エフェクトレベルの設定を行える。例えばホワイトノイズを加える等のようなエフェクト時のレベルの設定である。スチルビューワー上では、スクロールにより表示される静止画の選択を行わせ、プッシュによりメール用ソフト（メーラー）を起動させる。ここでのメーラーは添付ファイルとして静止画像を用いるときに有効である。ムービープレーヤー上では、スクロールにより表示される動画フレームの選択を行わせ、プッシュにより前記したのと同じメーラーを起動させる。
［００９８］第８の具体例としては、音楽関係再生ツールであるメディアバー（MediaBar）（商標）がある。このメディアバーではジョグダイヤルのスクロールにより、次曲・前曲の再生を選択させ、プッシュにより一時停止させる。
［００９９］第９の具体例としては、ジョグダイヤルを使ってフォルダをブラウンジングするためのツールである、ジョグダイヤルブラウザ（Jog Dial Browser）がある。ジョグダイヤルのスクロールによりリストを上下させ、プッシュにより、選択したものがフォルダである場合はフォルダの下のファイルリストを表示させ、データあるいはプログラムである場合は実行させる。また、キャンセルである場合は終了させる。さらにリターンである場合には一つ上のフォルダのファイルリストを表示させる。）
　
　以上の記載によれば、この引用例には以下のような発明（以下、「引用例発明」という。）が開示されていると認められる。
　
「ジョグダイヤル対応アプリケーションがアクティブであるときには、そのジョグダイヤル対応アプリケーションに対応した固有のジョグダイヤル操作の説明の文字列が登録されるジョグダイヤル状態監視プログラム５４Ｃのリストと、
　ジョグダイヤルの操作状態が検出された場合に、現在アクティブなジョグダイヤル対応アプリケーションに固有な前記ジョグダイヤルの操作の説明の文字列をジョグダイヤルメニュー（ジョグダイヤルガイド）として画面上に表示する表示手段を備え、
　上記画面上に表示されたジョグダイヤルの操作の説明の文字列に対応するジョグダイヤルの操作を行うとジョグダイヤル対応アプリケーションに固有の当該処理が実行されることを特徴とする情報処理装置。」　
　
（ｃ）対　比
　本願補正発明と引用例発明とを対比する。
　引用例発明における「ジョグダイヤル対応アプリケーション」は、本願補正発明の「アプリケーション」に相当する。
　引用例発明の「ジョグダイヤル対応アプリケーションに対応した固有のジョグダイヤル操作の説明の文字列」は、本願補正発明の「アプリケーションに対応した固有のメニュー情報」に相当する。
　引用例発明の「ジョグダイヤル状態監視プログラム５４Ｃのリスト」は、本願補正発明の「メニュー格納部」に相当する。
　引用例発明の「ジョグダイヤルの操作状態が検出された場合に、現在アクティブなジョグ対応アプリケーションに固有な前記ジョグダイヤルの操作の説明の文字列をジョグダイヤルメニュー（ジョグダイヤルガイド）として画面上に表示する表示手段」は、本願補正発明の「指示部による指示が検出された場合に、現在起動しているアプリケーションを判別して、前記メニュー情報を用いてアプリケーションに対応するメニューを画面上に展開するメニュー展開部」と対応するといえる。
　　
　そうすると、両者は、
「アプリケーションに対応した固有のメニュー情報を格納するメニュー格納部と、
　指示部による指示が検出された場合に、現在起動しているアプリケーションを判別して、前記メニュー情報を用いてアプリケーションに対応するメニューを画面上に展開するメニュー展開部と、を備えることを特徴とする情報処理装置。」
で一致するものであり、次の点で相違している。
　
　本願補正発明では、アプリケーションに対応した固有のメニュー情報が、「アプリケーションのコマンドとして、当該アプリケーションで予め定められたショートカットキーのキーコードより構成され」ているのに対し、引用例発明では、ジョグ対応アプリケーションでショートカットキーが予め定められていることが明らかではなく、アプリケーションに対応した固有のメニュー情報が、ジョグ対応アプリケーションのジョグダイヤル操作の説明の文字列である点。
　
（ｄ）当審の判断
　アプリケーションのメニュー項目に対応してショートカットキーを予め定ることは、本出願前周知（特開２０００−２０７２５６号公報段落【００５８】及び図２１の記載、特開平１１−２３７９７８号公報段落【００５７】〜【００５９】の記載、特開平８−３０５８７０号公報段落【００３９】、【００４８】記載参照）であり、「ショートカットキーのキーコード」をキーボード以外の入力操作にも対応させて記憶し、キーボード以外の入力操作によってコマンドとしてショートカットキーのキーコードを出力して処理を行うことも、本出願前周知の技術（特開平９−３３０１６２号公報段落【００１８】の記載、特開平４−１４８４１５号公報第２頁左上欄第１１行〜右上欄第５行の記載参照）である。
　そして、引用例発明は、画面上に表示されたジョグダイヤルの操作の説明の文字列（「メニュー情報」に相当する。）に対応するジョグダイヤルの操作を行うと当該説明の文字列の内容の処理が実行されるものであるから、画面上に表示されたジョグダイヤルの操作の説明の文字列（「メニュー情報」に相当する。）にその内容の処理コマンドが対応づけられていることは明らかである。
　したがって、引用例発明において、上記周知技術を適用することにより、アプリケーションに対応した固有のメニュー情報を、アプリケーションのコマンドとして、当該アプリケーションで予め定められたショートカットキーのキーコードより構成することは当業者が容易になし得ることである。
　　
　また、前記相違点により奏される効果は当業者であれば引用例発明及び周知技術から予想できる範囲内のものである。
　
（ｅ）結論
　そうすると、本願補正発明は、引用例発明及び周知技術に基づいて当業者が容易に発明をすることができたものであるから、特許法第２９条第２項の規定により、特許出願の際独立して特許を受けることができないものである。
 したがって、本件補正は、平成１８年法律第５５号改正附則第３条第１項によりなお従前の例とされる同法による改正前の特許法第１７条の２第５項において準用する同法第１２６条第５項の規定に違反するので、同法第１５９条第１項において読み替えて準用する同法第５３条第１項の規定により却下すべきものである。
　
３．本願発明
　上記のとおり、上記本件補正は却下されたので、本願請求項１に係る発明（以下、「本願発明」という。）は、平成１６年７月２６日に提出された手続補正書における特許請求の範囲の請求項１に記載された事項により特定される、以下のとおりのものである。
　
「アプリケーションのコマンドとなるキーコードより構成され、前記アプリケーションに対応した固有のメニュー情報を格納するメニュー格納部と、
　指示部による指示が検出された場合に、現在起動しているアプリケーションを判別して、前記メニュー情報を用いてアプリケーションに対応するメニューを画面上に展開するメニュー展開部と、
を備えることを特徴とする情報処理装置。」
　
４．引用例
　原査定の拒絶理由に引用された引用例、及びその記載事項は、前記「２．（２）（ｂ）」に記載したとおりである。
　
５．対比
　本願発明は、前記２．で検討した本願補正発明の「アプリケーションのコマンドとして、当該アプリケーションで予め定められたショートカットキーのキーコードより構成され、前記アプリケーションに対応した固有のメニュー情報」から限定を省き、「アプリケーションのコマンドとなるキーコードより構成され、前記アプリケーションに対応した固有のメニュー情報」とするものである。
　そうすると、本願発明の構成要件を全て含み、さらに限定したものに相当する本願補正発明が前記２．に記載したとおり、引用例発明及び周知技術に基づいて、当業者が容易に発明をすることができたものであるから、本願発明も同様の理由により、引用例発明及び周知技術に基づいて、当業者が容易に発明をすることができたものである。
　
６．むすび
　以上のとおり、本願請求項１に係る発明は、引用例発明及び周知技術に基づいて当業者が容易に発明をすることができたものであるから、特許法第２９条第２項の規定により、特許を受けることができない。
　したがって、本願は、その余の請求項について論及するまでもなく拒絶すべきものである。
　よって、結論のとおり審決する。